(57)【要約】【課題】ノンインパクトプリンタを使用して、封筒と控え票に同時に配送情報を印字でき、印字した配送情報と別途設けた機械読み取り情報の紐付けを行って、配送管理を容易にした控え票付き封筒を提供する。【解決手段】控え票付き封筒１は、封筒上紙２と封筒下紙３からなり、三辺は接着剤４で閉塞して一辺を開口し、封筒上紙２の開口辺を延出して封緘片５とした封筒６を備え、封緘片５にミシン目１０を介して控え票１１を分離可能に連接し、封筒上紙２の表出面には配送情報印字部を設け、控え票１１の表出面には控え情報印字部を設け、これら各情報印字部には、同一のバーコードを印字し、封筒上紙２は半透明であるグラシン紙からなる。【選択図】        図２
2005022258.tif 000002
【特許請求の範囲】
【請求項１】
封筒上紙と封筒下紙からなり、三辺は閉塞して一辺を開口し、この開口辺の前記封筒上紙または前記封筒下紙の一方を延出して封緘片とした封筒を備え、前記封筒上紙または前記封筒下紙の封緘片を含むいずれか一辺に控え票を分離可能に連接し、この控え票を連接した前記封筒上紙または前記封筒下紙の表出面に配送情報印字部を設け、前記控え票の前記配送情報印字部と同一面側に控え情報印字部を設け、これら各情報印字部には、同一の機械読み取り情報を印字してなることを特徴とする控え票付き封筒。
【請求項２】
控え票を連接した封筒上紙または封筒下紙は半透明紙からなることを特徴とする請求項１記載の控え票付き封筒。
【発明の詳細な説明】
【０００１】
【発明の属する技術分野】
本発明は、封筒に関し、特に、宅配便で使用するのに適した控え票付き封筒に関する。
【０００２】
【従来の技術】
従来から宅配便で使用する封筒は各種知られているが、この種従来の封筒は、配送伝票とは別体に構成され、使用にあたっては配送伝票に所定の配送情報を印字あるいは手書きで記入し、この記入済みの配送伝票を封筒の表面に貼着したり、あるいは配送伝票に記入された配送情報に基づいて別途用意したラベルに同様の配送情報を印字あるいは手書きで記入し、このラベルを封筒の表出面に貼着している。また、従来から控え票付き配送伝票も知られているが、この種従来の控え票付き配送伝票は、貼付票などの各種伝票と控え票を重ね合わせ、最上位の伝票の印字記入欄に配送情報を印字することにより、控え票を含む下位の伝票に同一情報を複写記入するよう構成している（例えば特許文献１参照）。
【０００３】
【特許文献１】
実用新案登録第２５０６９４１号公報（第１図、第２図）
【０００４】
【発明が解決しようとする課題】
ところがこの従来の宅配便で使用する封筒によると、別途配送伝票やラベルを用意して、これら配送伝票やラベルに印字する必要があり、印字作業が煩雑であるという不都合があり、特にラベルを使用する場合にはこの不都合は顕著となる。また、従来の控え票付き配送伝票によると、複写記入するので、印字圧のかからないノンインパクトプリンタは使用できないという不都合がある。
【０００５】
本発明は、このような従来の不都合を解消するとともに、封筒と控え票の配送情報の紐付けを行って、配送管理を容易にした控え票付き封筒を提供することを目的とする。
【０００６】
【課題を解決するための手段】
この目的を達成するために、本願発明の請求項１に記載した控え票付き封筒は、封筒上紙と封筒下紙からなり、三辺は閉塞して一辺を開口し、この開口辺の前記封筒上紙または前記封筒下紙の一方を延出して封緘片とした封筒を備え、前記封筒上紙または前記封筒下紙の封緘片を含むいずれか一辺に控え票を分離可能に連接し、この控え票を連接した前記封筒上紙または前記封筒下紙の表出面に配送情報印字部を設け、前記控え票の前記配送情報印字部と同一面側に控え情報印字部を設け、これら各情報印字部には、同一の機械読み取り情報、例えばバーコードのような光学的手段で読み取る情報を印字してなるものである。
【０００７】
また、同じく上記目的を達成するために、本願発明の請求項２に記載した控え票付き封筒は、上記請求項１の構成において、控え票を連接した封筒上紙または封筒下紙は半透明紙、例えばグラシン紙からなることを特徴とする。
【０００８】
【発明の実施の形態】
以下、本発明の好適な実施の形態を添付図面に基づいて詳細に説明する。ここにおいて、図１は控え票付き封筒を示す概略的な平面図、図２はそのＡ−Ａ線断面図、図３は控え票を分離して封緘した状態の封筒を示す断面図である。
【０００９】
図１及び図２に示すように、控え票付き封筒１は、封筒上紙２と封筒下紙３からなり、三辺は接着剤４で接着して閉塞する一方、一辺を開口し、この開口辺の前記封筒上紙２を一体的に延出して封緘片５とした封筒６を備えている。そして、前記封筒上紙２と前記封緘片５の境には折り線７を設けている。また、前記封緘片５の裏面（封筒下紙３側面）には、粘着剤８を帯状に塗布し、剥離紙９で被覆してなる、いわゆるアスティックテープ構造を設けている。前記封緘片５の前記折り線７とは反対側の辺には、ミシン目１０を介して控え票１１を分離可能に連接している。
【００１０】
封筒上紙２の表出面は全面が配送情報印字部となり、送り先情報、依頼主情報、品名情報、配送指定日情報を印字記入する配送情報印字欄１２を設けるとともに、機械読み取り情報として管理番号を示すバーコード１３を設けている。一方、控え票１１は、さらにミシン目１４，１５で、依頼主控１６、取次店控１７、運送会社控１８に分離可能に区画形成している。なお、前記封筒上紙２は、亜硫酸パルプを原料として所定の加工を施して半透明とした薄紙であるグラシン紙からなる。
【００１１】
また、各控１６，１７，１８の表出面は全面が控え情報印字部となっている。依頼主控１６の控え情報印字部には、「依頼主控」という表題１９と、機械読み取り情報として管理番号を示すバーコード２０と、送り先情報と依頼主情報を印字する配送控情報印字欄２１を設けている。また、取次店控１７の控え情報印字部には、「取次店控」という表題２２と、機械読み取り情報として管理番号を示すバーコード２３と、送り先情報と依頼主情報を印字する配送控情報印字欄２４を設けている。さらに、運送会社控１８には「運送会社控」という表題２５と機械読み取り情報として管理番号を示すバーコード２６と、送り先情報と依頼主情報を印字する配送控情報印字欄２７を設けている。そして、前記各バーコード２０，２３，２６の表示内容は、封筒上紙２のバーコード１３と同一である。
【００１２】
本実施形態は以上のように構成したので、図１及び図２状態にある控え票付き封筒１の同一面側に位置する各印字欄１２，２１，２４，２７に、印字する配送情報や配送控情報をあらかじめ入力してあるコンピュータ（図示せず）の出力装置であるノンインパクトプリンタで、同時に印字することができる。そして、印字内容とバーコード１３，２０，２３，２６の表示内容とを紐付けして前記コンピュータの記憶部に格納しておく。
【００１３】
所定の配送情報を印字した控え票付き封筒１は、ミシン目１０を破断して控え票１１を分離し、この控え票１１はさらに各ミシン目１４，１５を破断して、依頼主控１６、取次店控１７、運送会社控１８に分離し、それぞれ依頼主、取次店、運送会社で保管する。次いで、図３に示すように、封筒６内に印刷物などの配送物２８を挿入し、剥離紙９を剥がしたうえ封緘片５を折り線７から折り返し、露出した粘着剤８で前記封緘片５を封筒下紙３に接着し、封緘する。この時、封筒上紙２はグラシン紙からなるので、収容した配送物２８を外部から確認することができる。そして、封緘した封筒６は、通常の配送作業と同様にして送り先に配送される。
【００１４】
なお、本発明は、上述した実施形態に限定されるものではなく、例えば、控え票１１は常に、依頼主控１６、取次店控１７、運送会社控１８の三票からなる必要はなく、適宜変更可能である。また、封筒上紙２はグラシン紙のような半透明紙でなく、不透明な紙を用いてもよいものである。さらに、機械読み取り情報としては、バーコード１３，２０，２３，２６のほか、他の光学的手段で読み取り可能な表示態様であってもよい。またさらに、控え票１１は、封緘片５に連接するほか、封筒上紙２の他の三辺あるいは封筒下紙３の各辺におけるいずれか一辺に連接してもよいものである。さらにまた、封筒６は、一枚の用紙を二つ折りしてなる封筒上紙２と封筒下紙３から構成してもよく、この場合には、接着剤２で閉塞する辺は、用紙の折り部と垂直に延びる一対の平行な辺である。
【００１５】
【発明の効果】
以上のように、本発明の請求項１に係る控え票付き封筒によれば、封筒と控え票に対する印字作業がノンインパクトプリンタを使用して一度で済むので効率的であり、また、印字内容と機械読み取り情報を紐付けして、配送管理を容易かつ確実に行うことができ、さらに、紙ですべての構成要素を形成できるので、廃棄処分も容易であるという効果を奏する。
【００１６】
また、本発明の請求項２に係る控え票付き封筒によれば、上記効果に加えて、封筒内に収容した配送物の確認が可能であるという効果を奏する。
【図面の簡単な説明】
【図１】控え票付き封筒を示す概略的な平面図。
【図２】図１のＡ−Ａ線断面図。
【図３】控え票を分離して配送物を収容した封緘状態を示す封筒の概略的な断面図。
【符号の説明】
１      控え票付き封筒
２      封筒上紙
３      封筒下紙
４      接着剤
５      封緘片
６      封筒
７      折り線
８      粘着剤
９      剥離紙
１０，１４，１５      ミシン目
１１      控え票
１２      配送情報印字欄
１３，２０，２３，２６      バーコード
１６      依頼主控
１７      取次店控
１８      運送会社控
２１，２４，２７      配送控情報印字欄
２８      配送物
【図１】
2005022258.tif 000003
【図２】
2005022258.tif 000004
【図３】
2005022258.tif 000005